(57)【要約】【課題】作業現場の過酷な条件に耐え得る改良された音声装置を提供することを目的とする。【解決手段】音声装置１０は、ハウジング１１と、ハウジング１１内に設置されたラジオ回路と、ハウジング１１に可撓式に接続された第１の保護棒材２０とを含む。音声装置１０はまた、第１の保護棒材２０に取り付けられたハンドル２１、ハウジング１１に可撓式に接続された第２の保護棒材、及び／又は第１の保護棒材２０をハウジングに可撓式に接続させるコネクタアセンブリを含んでも良い。コネクタアセンブリは、望ましくは第１の保護棒材２０とハウジングとの間に配置された可撓性ガスケットを含んでも良い。この音声装置１０は現場作業員が所持する種々のコードレス電動工具に使用される充電可能なバッテリパックを収容し、このバッテリパックを充電したり、ラジオ回路に電力を供給したりできる。【選択図】図５
2006262529.tif 000002
【特許請求の範囲】
【請求項１】
ハウジングと、
該ハウジング内に設置された音声回路、及び、
該ハウジングに可撓式に接続された第１の保護シールドとを備える音声装置。
【請求項２】
更に、前記第１の保護シールドに取り付けられたハンドルを備える請求項１に記載の装置。
【請求項３】
更に、前記第１の保護シールドを前記ハウジングに可撓式に接続させるコネクタアセンブリを備える請求項１に記載の装置。
【請求項４】
前記コネクタアセンブリが可撓性ガスケットから構成される請求項３に記載の装置。
【請求項５】
前記可撓性ガスケットが前記第１の保護シールドと前記ハウジングとの間に配置される請求項４に記載の装置。
【請求項６】
更に、前記ハウジングに可撓式に接続された第２の保護シールドを備える請求項１に記載の装置。
【請求項７】
前記第１の保護シールドは棒材である請求項１に記載の装置。
【請求項８】
ハウジングを形成し、
第１の保護シールドを設け、そして、
前記ハウジングに前記第１の保護シールドを可撓式に接続する段階を備える音声装置の製造方法。
【請求項９】
更に、音声信号を発生させる回路を設置する段階を備え、前記回路はハウジング内に設置される請求項８に記載の方法。
【請求項１０】
更に、前記第１の保護シールドにハンドルを取り付ける段階を備える請求項８に記載の方法。
【請求項１１】
前記第１の保護シールドを前記ハウジングに接続する段階が、コネクタアセンブリを前記第１の保護棒材と前記ハウジングとの間に設ける段階を備える請求項８に記載の方法。
【請求項１２】
前記コネクタアセンブリが可撓性ガスケットから構成される請求項１１に記載の方法。
【請求項１３】
更に、第２の保護シールドが前記ハウジングに可撓式に接続される段階を備える請求項８に記載の方法。
【請求項１４】
前記第１の保護シールドが射出成形される請求項８に記載の方法。
【請求項１５】
前記第１の保護シールドがガスアシスト射出成形加工を用いて形成される請求項８に記載の方法。
【請求項１６】
前記第１の保護シールドが棒材である請求項８に記載の方法。
【請求項１７】
主ハウジング、及び、
該主ハウジングに可撓式に接続されたバッテリを収容する差込口アセンブリとを備える電子装置。
【請求項１８】
前記差込口アセンブリが、差込口ハウジングと、該差込口ハウジングと前記主ハウジングとの間に配置された可撓性ガスケットとから構成される請求項１７に記載の装置。
【請求項１９】
前記差込口アセンブリが更に、前記ガスケットが離脱するのを防止するために前記ハウジングに配置された少なくとも１つの保持具を備える請求項１８に記載の装置。
【請求項２０】
前記ガスケットはゴム又はエラストマで製造される請求項１８に記載の装置。
【請求項２１】
更に、前記主ハウジングに枢動自在に接続され、かつ前記差込口アセンブリに対向するドアを備える請求項１７に記載の装置。
【請求項２２】
前記ドアは、前記差込口アセンブリに配置されたバッテリを接続位置に付勢させるために該ドアに配置されたばねを有する請求項２１に記載の装置。
【発明の詳細な説明】
【技術分野】
【０００１】
本発明は、概して音声装置に関し、特に、発明は高耐久性ラジオに関する。
【背景技術】
【０００２】
携帯用ラジオのような音声装置が工事現場に持ち込まれ、現場作業員が音楽やトークショーなどを作業中に聞くことが良く知られている。
【発明の開示】
【発明が解決しようとする課題】
【０００３】
しかしながら、前述のような音声装置は工具がその上に落ちることにより、作業現場で破壊されることがある。同様に、音声装置はテーブルなどから落ちて損傷を受けるおそれがあった。
従って、本発明の目的は作業現場の過酷な条件に耐え得る音声装置を提供することにある。
【０００４】
更に、現場作業員はバッテリパックを内蔵した種々のコードレス電動工具を所持しているので、音声装置がこのバッテリパックを充電するため、及び／又は、音声装置に電力を供給するために、その電動工具に使用される充電可能なバッテリパックを収容するならば有益である。
【課題を解決するための手段】
【０００５】
本発明により、改良された音声装置が用いられる。音声装置は、ハウジングと、ハウジング内に設置された音声回路、及び、ハウジングに可撓式に接続される保護被覆、外殻又は棒材の少なくとも１つを含む。保護被覆にはハンドルが取り付け可能であることが望ましい。
【０００６】
本発明の他の特徴、及び利点については、添付された図面、及び以下の詳細な説明において説明され、これによって明らかになるであろう。
【発明の効果】
【０００７】
本発明によれば、作業現場の過酷な条件に耐え得る音声装置が提供される。
【発明を実施するための最良の形態】
【０００８】
以下添付図面を用いて本発明の実施形態を具体的な実施例に基づいて詳細に説明する。図面中、同一の符号は同一の部品を示す。
図１から図３を参照すると、ラジオ１０のような本発明の音声装置の構成要素はハウジング１１を備えている。ハウジング１１は、ラジオ回路（図示しない）と、ラジオ回路に接続されたスピーカ１２と、ボリューム１５と、チューニング１６と、スイッチつまみ１７と、アンテナ１４と補助入力用ジャック１３とを支持しても良い。
【０００９】
スピーカ１２及びハウジング１１の一部分は、ゴム被覆又は塗料のような防水被覆で被覆される。この代わりに、他の防水方法をスピーカ１２の保護のために使用しても良い。例えば、米国特許第３，３９１，７５４号、第２，８２９，７２８号、第２，５１７，１３８号明細書は適切な防水方法を開示しており、参照例として本明細書の一部を成す。
【００１０】
つまみもまた、ハウジング１１内に水が浸入するのを防ぐための防水手段から構成しても良い。このような手段はハウジング１１及び／又はつまみに形成された壁を含んでもよく、水に対するラビリンス通路を形成する。この代わりに、他の防水手段をつまみに使用しても良い。例えば、米国特許第３，３９１，７５４号、第３，２７７，７３９号、第２，５０２，９１５号、及び１，１６２，７９３号明細書は適切な防水方法を開示しており、参照例として本明細書の一部を成す。
【００１１】
アンテナ１４は、アンテナ１４を損傷させずに曲げることを可能とする可撓性材料で構成されることが望ましい。
保護被覆、シールド又は、外殻の少なくとも１つが可撓式にハウジング１１に接続されることが望ましい。保護被覆の一例は保護棒材２０である。そのような被覆又はシールド、即ち、棒材２０はアルミニウム又は他の適切な材料で製造されても良い。被覆又はシールド、即ち、棒材２０は、ＡＢＳ（アクリロニトリル‐ブタジエン‐スチレン樹脂）、又はポリプロピレンのようなプラスチック製であることが望ましい。被覆又はシールド、即ち、棒材２０は射出成形されても良い。この代わりに、被覆又はシールドが棒状に成形される場合は、プラスチックを鋳型に射出（鋳型を充満させるのに必要な量のほぼ半分を充填し、その後半分を充填するのが望ましい）し、その後に空気又は気体をその中に吹き込み、鋳型のもう片方にプラスチックを押し出して中空の筒体を形成する。この工程はガスアシスト射出成形として知られている。
【００１２】
保護被覆又はシールドは、それぞれ環状に形成され、かつハウジング１１のそれぞれの側部に接続された二つの棒材２０から成る。保護被覆又はシールドはまた、棒材２０に固定的に、即ちねじ（図示しない）を介して取り付けられたハンドル２１を含んでも良い。棒材２０及び／又はハンドル２１の形状は、ハウジング１１にハンドル２１及び／又は棒材２０よりも幅の広いものが接触できない形状であることが望ましい。このような構成によりハウジング１１が損傷する危険が最小となるが、それでもラジオの動作部品へのアクセスは可能であり、及び／又はスピーカから発生する音をこもらせることはない。
【００１３】
当該技術分野に精通した者は、保護シールド又は棒材２０がねじ、ボルトなどのような固締具と協働することで、解除自在にハウジングに取り付けられることが望ましいことがわかるであろう。保護シールド又は棒材２０をこの方法で適応させることにより、損傷を受けたときにユーザは保護シールドの部分又は１つの棒材２０を、シールド全体、棒材２０の全体又はラジオ１０を交換するための出費を被ることなく交換できる。
【００１４】
上述のように、保護シールド又は棒材２０は可撓式にハウジングに接続されても良い。このような接続はコネクタアセンブリ３０を介して達成される。図４を参照すると、コネクタアセンブリ３０は棒材２０とハウジング１１との間に配置される。コネクタアセンブリ３０は、ゴム又はエラストマのような可撓性でかつ弾性的な材料で製造された可撓性ガスケット３１から成る。ガスケット３１は、ナット３５にねじ係合されたねじ３４を介して棒材２０に接続されても良い。次にガスケット３１は、ナット３３にねじ係合されたねじ３２を介してハウジング１１に接続されても良い。ガスケット３１は、ねじ３２及び／又はナット３５を覆って成型されても良い。このような構成により、ラジオ１０が落下したときにハウジング１１が受ける衝撃は最小となり、従って、その内部に搭載された回路が受ける衝撃も最小となる。
【００１５】
図２及び図６を参照すると、ハウジング１１はまた、ハウジング１１に枢着されたドア１９を備えており、このドア１９により差込口アセンブリ５０へのアクセスができるようになり、かつ操作者がハウジング１１内にバッテリパック６０を設置することを可能となる。ドア１９は掛け金１８によって閉鎖状態に保持されても良い。掛け金１８はオーバセンタ機構を構成することが望ましい。
【００１６】
ドア１９は、完全防水でない場合、差込口アセンブリ５０への水の浸入を制限するために、ドア１９にはガスケット１９Ｇが設けられていても良い。ガスケット１９Ｇはゴム又はエラストマで製造されることが望ましい。当該技術分野に精通した者はガスケット１９Ｇがハウジング１１上に配置されれば、同一の機能を果たすことがわかるだろう。
【００１７】
差込口アセンブリ５０は、コネクタ５６を介してバッテリパック６０を収容するように設計される。コネクタ５６はバッテリ端子に接触するのに適切な形状を有する。バッテリパック端子及びコネクタ５６は、米国特許第５，１４４，２１７号明細書に開示された方法で配置されることが望ましく、参照例としてその全体が本明細書の一部を成す。
【００１８】
充電器回路４３はコネクタ５６と差込口アセンブリ５０の双方に固定的に接続されても良い。コネクタ５６は浮動差込口ハウジング５５に配置されるのが望ましく、ラジオ１０が落下した場合のバッテリパック６０及び回路４３が受ける衝撃を最小化する。当該技術分野において公知であるように、充電器回路４３は異なる電圧を有するバッテリパックの充電を可能とする。
【００１９】
差込口ハウジング５５は、可撓性ガスケット５１を介してしなやかにハウジング１１に接続されても良い。ガスケット５１は略環状であると共に、ゴム又はエラストマのような可撓性でかつ弾性的な材料で製造されることが望ましい。
保持具５２は、バッテリパック６０を適切な場所に押し込む際に、ガスケット５１とハウジング１１との分離を防ぐためにハウジング１１の上に設置されても良い。保持具５２はねじ５３を介してハウジング１１に取り付けられても良く、かつ略環状形状であっても良い。保持具５２はまた、充電器回路基板４３に接触する係止面を与えることにより、バッテリパック６０を取り外すときに差込口ハウジング５５が外れるのを防ぐ。
【００２０】
バッテリパック６０に付勢力を与えてコネクタ５６と接続させるために、ドア１９の上にばね５４が設けられていても良い。色々なサイズのバッテリパックに付勢力を与えるために、ばね５４には十分な可撓性を持たせておくことが望ましい。
図５は、ハウジング１１内の回路のブロック図である。充電器回路４３は電源４０に接続される。電源４０は、バッテリパックがラジオ１０用の電源として使用されるときに、コネクタ４１を介して交流電源、及び／又は充電器４３から電力を受け入れても良い。更に、電源４０は、ラジオ１０が動作中でもバッテリパック６０を充電するために充電器４３に電力を供給する。
【００２１】
電源４０はまた、ラジオ回路４４へ電力を供給する。スイッチ手段４２は、電力を受け取る部品を適切に選択するために、スイッチつまみ１７に接続されても良い。例えば、ユーザは以下のような電源４０の状態等を選択可能である。
（ａ）ラジオ回路４４と充電器４３（バッテリパック６０を充電するための物）の双方に電力を供給する。
（ｂ）バッテリパック６０からラジオ回路４４へ電力を供給する。
（ｃ）いずれの部品へも電力を供給しない。
スイッチ手段４２は、当該技術分野において公知であるように、中継器、トランジスタ又はスイッチ装置から構成されても良い。電源４０は種々の電圧を有するバッテリパック６０から電力を受け入れることができることが望ましい。
【００２２】
ラジオ回路４４は３つの構成要素から構成することが可能である。それらは、（Ａ）アンテナ１４を介して受け取られるラジオ信号を受け取り、かつ復調するラジオチューナ４５と、（Ｂ）チューナ４５に接続され、復調されたラジオ信号を増幅する増幅器４６、及び、（Ｃ）増幅器４６に接続され、増幅された信号を可聴信号に変換するスピーカ１２とである。増幅器４６はまた、補助入力１３から受け取られた信号を増幅してもよく、ユーザが別のカセットデッキ又はコンパクトディスクプレーヤからの信号をラジオ１０を通じて再生させることが可能となる。
【００２３】
当該技術分野に精通した者は各構成要素のための特定の回路は当該技術分野において公知であることを認識しなければならない。例えば、ラジオ回路４４は、公知の方法で使用される三洋製ＬＡ１１８６ＮのようなＦＭフロントエンド集積回路と、公知の方法で使用される東芝製ＴＡ８２２７Ｐのような低周波電力増幅器集積回路との組み合わせを含んでも良い。当該技術分野に精通した者は、標準的な使用法、性能、パラメーターなどに関する更なる情報について、二つの集積回路の仕様書を参照することができる。
【００２４】
更に、ラジオ回路４４は、カセットデッキか、コンパクトディスクか、又は音楽を再生する他の方法に使用される回路であって、スピーカへの音声信号を発生させる他の回路に置き換えることも可能である。
充電器４３は、ラジオ信号の受信、処理、及び／又は増幅に影響を及ぼさないように鉛、銅、金などの金属被覆でシールドされる。同様に、充電器４３には、充電器がラジオ信号等に与える影響を最小限にするために誘導コイル、又は他の種類のフィルタを設けることができる。
【００２５】
このような構成により、例えば、ユーザは充電器４３にバッテリパック６０を取り付け、バッテリパック６０に電力を供給してバッテリパックを充電し、そして、充電器４３からバッテリパック６０を取り外すことができる。その後バッテリパック６０はドリル１００（図５）のような電動工具に挿入できる。言い換えれば、ユーザはバッテリパック６０を充電中にラジオ１０を聞くことができる。また、これに代えて、ユーザは手動で電源４０を切り替え、ラジオ回路４４が交流電源からではなく、バッテリパック６０から動作電力を受け取るようにすることができる。
【００２６】
当該技術分野に精通した者は本明細書に開示された手段の他の代替手段を思いつくであろう。しかしながら、これらの追加手段、及び／又は代替手段は全て本発明と同等の手段と見なされる。
【図面の簡単な説明】
【００２７】
【図１】本発明の音声装置の正面図である。
【図２】図１の音声装置の背面図である。
【図３】図１の音声装置の側面図である。
【図４】図３のＩＶ−ＩＶ線における断面図である。
【図５】図１の音声装置の回路のブロック図である。
【図６】図２のＶＩ−ＶＩ線における断面図である。
【符号の説明】
【００２８】
１０    ラジオ
１１    ハウジング
１２    スピーカ
１９    ドア
２０    保護部材
２１    ハンドル
３０    コネクタアッセンブリ
３１    可撓性ガスケット
５０    差込口アッセンブリ
５１    可撓性ガスケット
５２    保持具
５４    ばね
５５    浮動差込口ハウジング
５６    コネクタ
６０    バッテリパック
１００    ドリル
【図１】
2006262529.tif 000003
【図２】
2006262529.tif 000004
【図３】
2006262529.tif 000005
【図４】
2006262529.tif 000006
【図５】
2006262529.tif 000007
【図６】
2006262529.tif 000008